(57)【要約】【課題】室内利用にも適した簡易履き物でありながら、歩行時に抜け出ることがなく、また砂地での利用をした場合でも入り込んだ砂が直接足肌に触れ難くし、簡易履き物の利用勝手を高める。【解決手段】足裏を乗せる薄型底板２に、折曲可能な帯状体からなる甲被３を薄型底板３の幅方向に倒し込み可能にして設けるとともに、薄型底板３の親指対応位置に、折曲可能な帯状体からなり足の親指が差し入れできるアーチ状の親指掛けを薄型底板２の幅方向に倒し込み可能にして設け、甲被３の薄形底板２への連結部６の後端それぞれを底板長さ方向後方に向けて薄形底板２の踵受け部７の側方位置まで延設して、この延設部８を薄形底板２の周辺に沿って固定した。【選択図】    図１
0003111049.tif 000002
【実用新案登録請求の範囲】
【請求項１】
足裏を乗せる薄型底板に、折曲可能な帯状体からなる甲被を前記薄型底板の幅方向に倒し込み可能にして設けるとともに、前記薄型底板における親指対応位置に、折曲可能な帯状体からなり足の親指が差し入れできるアーチ状の親指掛けを前記薄型底板の幅方向に倒し込み可能にして設け、前記甲被の薄形底板への連結部の後端それぞれを底板長さ方向後方に向けて薄形底板の踵受け部の側方位置まで延設して、該延設部を薄形底板の周辺に沿って固定し、
着用時に前記親指掛けの一部が足の親指と人差し指の間に位置し、着用時における甲被の連結部の起立に連れて起立した前記延設部により、薄形底板における甲被の連結部の後端位置から底板長さ方向後方の領域となる後板部の下方への曲がりを規制する構成としたことを特徴とする簡易履き物。
【請求項２】
上記親指掛けと甲被と延設部とは、砂粒子径より大きい目の網目状にして砂粒子径より大きいシート厚さに編んでなる柔軟な編製シートからなるものである請求項１に記載の簡易履き物。
【請求項３】
上記薄型底板は、着用時に足裏が接する上層が、砂粒子径より大きい目の網目状にして砂粒子径より大きいシート厚さに編んでなる柔軟な編製シートとされ、接地面側の下層が、砂粒子の通過を不能とした柔軟シートとされている請求項１または２に記載の簡易履き物。
【考案の詳細な説明】
【技術分野】
【０００１】
本考案は簡易履き物に関するものである。
【背景技術】
【０００２】
従来からスリッパにおいては、足裏が接する底板を薄くするとともに、足の甲に掛かる甲被に対して折り畳みんどができ、携帯に適したものが提案されている。
【特許文献１】実願昭６０−０６９４７２号マイクロフィルム
【特許文献２】実願昭６０−１１２２８８号マイクロフィルム
【考案の開示】
【考案が解決しようとする課題】
【０００３】
しかしながら、従来から携帯用のスリッパにあっては底板が薄型であるため、着用状態で足を床から上げた場合に薄型底板の後板部が下方に垂れ下がるように曲がって踵から離れ易くなり、歩くときにその後板部がパタパタと上下に振れ、その振動と足の前方への振りによってスリッパ自体が前方に抜け出て歩き難くなることが多いという問題がある。
【０００４】
この点、上記特許文献のスリッパにあっては甲被の一部分を薄型底板に沿って後方に延設した部分を有している構造のものであり、着用時に薄型底板の後板部の振れを或る程度抑えることが可能かと推測される。
しかしながら、このようなスリッパは上記特許文献で示されているものも含めて、室内での利用を主な目的としているものであることから、紙や合成樹脂シートなどを素材として作製されており、これを簡易履き物として素足で履きながら、屋外、例えば海岸に建てられたリゾートホテルなどの付帯施設である砂浜に出歩いた場合には、薄型底板や甲被、上記延設部と足との間に入り込んだ砂が足肌へ押さえ付けられ、これによって痛みを伴って歩き難くなるという問題がある。
そこで本考案は上記事情に鑑み、室内利用にも適した簡易履き物でありながら、歩行時に抜け出ることがなく、また砂地での利用をした場合でも入り込んだ砂が直接足肌に触れ難くすることを課題とし、簡易履き物の利用勝手を高めることを目的とするものである。
【課題を解決するための手段】
【０００５】
本考案は上記課題を考慮してなされたもので、足裏を乗せる薄型底板に、折曲可能な帯状体からなる甲被を前記薄型底板の幅方向に倒し込み可能にして設けるとともに、前記薄型底板における親指対応位置に、折曲可能な帯状体からなり足の親指が差し入れできるアーチ状の親指掛けを前記薄型底板の幅方向に倒し込み可能にして設け、前記甲被の薄形底板への連結部の後端それぞれを底板長さ方向後方に向けて薄形底板の踵受け部の側方位置まで延設して、該延設部を薄形底板の周辺に沿って固定し、着用時に前記親指掛けの一部が足の親指と人差し指の間に位置し、着用時における甲被の連結部の起立に連れて起立した前記延設部により、薄形底板における甲被の連結部の後端位置から底板長さ方向後方の領域となる後板部の下方への曲がりを規制する構成としたことを特徴とする簡易履き物を提供して、上記課題を解消するものである。
【０００６】
そして、本考案において、上記親指掛けと甲被と延設部とは、砂粒子径より大きい目の網目状にして砂粒子径より大きいシート厚さに編んでなる柔軟な編製シートからなるものとすることが可能である。
また、本考案において、上記薄型底板は、着用時に足裏が接する上層が、砂粒子径より大きい目の網目状にして砂粒子径より大きいシート厚さに編んでなる柔軟な編製シートとされ、接地面側の下層が、砂粒子の通過を不能とした柔軟シートとされていることが良好である。
【考案の効果】
【０００７】
請求項１の考案においては、着用時に延設部によって後板部の振れが抑えられるとともに、親指掛けの一部を足の親指と人差し指とで挟まれ、歩行に際して抜け出て足から外れるということを防止できるなど、実用性に優れた効果を奏するものである。
請求項２の考案においては、上記請求項１の考案の効果に加えて、歩行に際して仮に砂粒が親指掛けや甲被、延設部と足との間に入り込むことがあっても、その編製シートの網目中に砂が入るため、足側に砂当たりによる痛みを生じさせないという効果がある。また、通気性が良好であり、ムレを防止できる。
請求項３の考案においては、上記請求項１、２の効果に加えて、歩行に際して仮に砂粒が薄型底板と足裏との間に入り込むことがあっても、その上層の編製シートの網目中に砂が入るため、足側に砂当たりによる痛みを生じさせないという効果がある。また、通気性があり、ムレを防止できる。
【考案を実施するための最良の形態】
【０００８】
つぎに本考案を図に示す実施の形態に基づいて詳細に説明する。
まず、本考案の簡易履き物１にあっては、足裏が接する薄型底板２に帯状の甲被３がアーチ型にしてかつ薄型底板２の幅方向に折り畳む倒し込みを可能にして設けられている。さらに、図示されているように前記甲被３より前方に着用時に足の指が位置する底板２の前部４が前記甲被３に覆われることなく開放された状態で位置していて、この前部４において着用時に親指が位置することになる部分に足の親指が差し入れできるアーチ状の親指掛け５を、前記甲被３と同様に薄型底板２の幅方向に折り畳む倒し込みを可能にして設けている。
これによって、着用時には上記親指掛け５の一部が親指と人差し指の間に位置することとなって親指と人差し指で挟み持たれるようになり、歩行に際してこの簡易履き物１が前方に抜け出るということを防止できる。
【０００９】
さらにこの簡易履き物１の上記甲被３にあっては、薄形底板２への連結部６の後端それぞれが底板長さ方向後方に向けて薄形底板２の踵受け部７の側方位置まで延設されていて、この延設部８を薄形底板２の周辺に沿って前記連結部６同様に連結固定している。このように、甲被３が薄型底板２の周辺に沿った前記延設部８を連続して有していることから、着用時に甲被３の連結部６が起立すれば、これに連れて前記延設部８それぞれも起立し、踵受け部７の側方位置まで及んで起立したこの延設部８により、薄形底板２における甲被３の連結部６の後端位置から底板長さ方向後方の領域となる後板部９の下方への曲がりが規制され、歩行などに際して前記後板部９は下方に垂れ下がるような曲がりを生じず、パタパタと振動することがない。
よって、歩行などに際して簡易履き物１が単独で振動しないため、さらには足の運びによる前方への単独の移動も上述したように親指掛け５の挟み込みで抑えられているため、より一層、この簡易履き物１の抜け出しがなくなり、歩行し易くなる。
【００１０】
上記甲被３、親指掛け５、延設部８それぞれは、砂粒子径より大きい目の網目状にして砂粒子径より大きいシート厚さに編んでなる柔軟な編製シート１０からなるものであり、この編製シート１０の柔軟さによって上述した倒し込みが可能とされている。
さらに、上記薄型底板２は図２に示すように、着用時に足裏が接する上層が、上記甲被３などの素材と同じ素材の編製シート１０とされ、そして、接地面側の下層が、砂粒子の通過を不能としたウレタン素材からなる柔軟シート１１とされている。
このような素材構成とすることで、この簡易履き物１を屋外の砂浜などで素足で履き、仮に砂粒が甲被３、親指掛け５、延設部８と足肌との間に入り込んだとしても、その砂粒が上記縫製シート１０の網目内に入るようになって足肌を傷めるようなことが防止され、歩行に際しての履き心地が大きく損なわれることがない。
さらに従来の携帯用スリッパと比べて通気性が格段に高くムレ防止にも大きく役立つものである。
【図面の簡単な説明】
【００１１】
【図１】本考案に係る簡易履き物の一例を示す説明図である。
【図２】一例における薄型底板を断面で示す説明図である。
【符号の説明】
【００１２】
１…簡易履き物
２…薄型底板
３…甲被
５…親指掛け
６…連結部
８…延設部
【図１】
0003111049.tif 000003
【図２】
0003111049.tif 000004